(57)【要約】      （修正有）【課題】靴に簡単かつ迅速に取り付けることができると共に靴のファッション性を一段と向上することができ、さらに常に足にフィットした状態で靴を履くことができる靴締付バンドを提供する。【解決手段】靴締付バンド１０の第１係止体１２と第２係止体１４は適宜金属材料で円板状に形成されている。この第１係止体１２の裏面に第１ハトメ嵌入部１６が突設され、第２係止体１４の裏面にも第２ハトメ嵌入部１８が突設されている。前記第１係止体１２と前記第２係止体１４の間には弾性連結体２０が配設されている。この弾性連結体２０の一端部２０Ａは前記第１係止体１２と連結され、他端部２０Ｂは第２係止体１４部と連結されている。また、前記弾性連結体２０には適宜色彩が施されている。【選択図】図２
0003165710.tif 000002
【実用新案登録請求の範囲】
【請求項１】
靴の甲部に対向して形成された甲部内側第１縁部及び甲部内側第１縁部と、この甲部内側第１縁部に形成された第１被係止体と、前記甲部内側第２縁部に形成された第２被係止体と、を備えて成る靴に着脱可能に取り付けられる靴締付バンドであって、前記第１被係止体と係止される第１係止体と、前記第２被係止体と係止される第２係止体と、前記第１係止体と前記第２係止体を連結する弾性連結体と、を有してなることを特徴とする靴締付バンド。
【請求項２】
靴の甲部に対向して形成された甲部内側第１縁部及び甲部内側第２縁部と、この甲部内側第１縁部に形成された靴紐用第１ハトメと、前記甲部内側第２縁部に形成された靴紐用第２ハトメと、を備えて成る靴に着脱可能に取り付けられる靴締付バンドであって、前記靴紐用第１ハトメのハトメ穴に嵌入する第１ハトメ嵌入部を設けた第１係止体と、前記靴紐用第２ハトメのハトメ穴に嵌入する第２ハトメ嵌入部を設けた第２係止体と、前記第１係止体と前記第２係止体を連結すると共に色彩が施された弾性連結体と、を有してなることを特徴とする靴締付バンド。
【請求項３】
靴の甲部に対向して形成された甲部内側第１縁部及び甲部内側第２縁部と、この甲部内側第１縁部に形成された靴紐用第１フックと、前記甲部内側第２縁部に形成された靴紐用第２フックと、を備えて成る靴に着脱可能に取り付けられる靴締付バンドであって、前記靴紐用第１フックが係止するフック挿通部を形成した第１係止体と、前記靴紐用第２フックが係止するフック挿通部を形成した第２係止体と、前記第１係止体と前記第２係止体を連結すると共に色彩が施された弾性連結体と、を有してなることを特徴とする靴締付バンド。
【請求項４】
靴の甲部に対向して形成された甲部内側第１縁部及び甲部内側第２縁部と、この甲部内側第１縁部に形成された靴紐用第１リングと、前記甲部内側第２縁部に形成された靴紐用第２リングと、を備えて成る靴に着脱可能に取り付けられる靴締付バンドであって、前記靴紐用第１リングと係止するフック部を形成した第１係止体と、前記靴紐用第２リングと係止するフック部を形成した第２係止体と、前記第１係止体と前記第２係止体を連結すると共に色彩が施された弾性連結体と、を有してなることを特徴とする靴締付バンド。
【考案の詳細な説明】
【技術分野】
【０００１】
本考案は、靴を履く場合に靴紐の代わりに使用して靴が脱げないように靴の甲皮の甲部を主に締め付けることができる靴締付バンドに関する。
【背景技術】
【０００２】
革靴やスニーカー等の靴の中には履いた靴が脱げてしまうのを防止するために靴紐を使用する場合がある（特許文献１）。
前記靴紐を靴に取り付ける場合は靴の甲皮の甲部に形成された切欠部を挟んで対向して形成された甲部内側第１縁部と甲部内側第２縁部に設けられた複数の靴紐用ハトメに靴紐の一端部を通していかなければならず靴紐の取付作業が煩雑である。
また、上述したように靴紐の取付作業は煩雑であるため、一旦靴に靴紐を取り付けてしまうとそのままの状態で靴紐を長期にわたり使用するため靴のファッション性が乏しくなるという不具合がある。
さらに、靴紐は伸縮性に欠けるので靴紐を結んだ後に靴紐を固く結び過ぎた場合は靴紐を緩めて再度結び直す必要があり、また、靴紐が自然に緩んだ場合は靴紐を堅く結び直す必要がある。
【先行技術文献】
【特許文献】
【０００３】
【特許文献１】実用新案登録第３１４６２４９号公報
【考案の概要】
【考案が解決しようとする課題】
【０００４】
本考案は、上記事実に鑑みなされたものであり、靴に簡単かつ迅速に取り付けることができると共に靴のファッション性を一段と向上することができ、さらに足にフィットした状態で靴を履くことができる靴締付バンドを提供するものである。
【課題を解決するための手段】
【０００５】
請求項１の考案は、靴の甲部に対向して形成された甲部内側第１縁部及び甲部内側第１縁部と、この甲部内側第１縁部に形成された第１被係止体と、前記甲部内側第２縁部に形成された第２被係止体と、を備えて成る靴に着脱可能に取り付けられる靴締付バンドであって、前記第１被係止体と係止される第１係止体と、前記第２被係止体と係止される第２係止体と、前記第１係止体と前記第２係止体を連結する弾性連結体と、を有してなることを特徴としている。
請求項２の考案は、靴の甲部に対向して形成された甲部内側第１縁部及び甲部内側第２縁部と、この甲部内側第１縁部に形成された靴紐用第１ハトメと、前記甲部内側第２縁部に形成された靴紐用第２ハトメと、を備えて成る靴に着脱可能に取り付けられる靴締付バンドであって、前記靴紐用第１ハトメのハトメ穴に嵌入する第１ハトメ嵌入部を設けた第１係止体と、前記靴紐用第２ハトメのハトメ穴に嵌入する第２ハトメ嵌入部を設けた第２係止体と、前記第１係止体と前記第２係止体を連結すると共に色彩が施された弾性連結体と、を有してなることを特徴としている。
請求項３の考案は、靴の甲部に対向して形成された甲部内側第１縁部及び甲部内側第２縁部と、この甲部内側第１縁部に形成された靴紐用第１フックと、前記甲部内側第２縁部に形成された靴紐用第２フックと、を備えて成る靴に着脱可能に取り付けられる靴締付バンドであって、前記靴紐用第１フックが係止するフック挿通部を形成した第１係止体と、前記靴紐用第２フックが係止するフック挿通部を形成した第２係止体と、前記第１係止体と前記第２係止体を連結すると共に色彩が施された弾性連結体と、を有してなることを特徴としている。
請求項４の考案は、靴の甲部に対向して形成された甲部内側第１縁部及び甲部内側第２縁部と、この甲部内側第１縁部に形成された靴紐用第１リングと、前記甲部内側第２縁部に形成された靴紐用第２リングと、を備えて成る靴に着脱可能に取り付けられる靴締付バンドであって、前記靴紐用第１リングと係止するフック部を形成した第１係止体と、前記靴紐用第２リングと係止するフック部を形成した第２係止体と、前記第１係止体と前記第２係止体を連結すると共に色彩が施された弾性連結体と、を有してなることを特徴としている。
【考案の効果】
【０００６】
本考案の靴締付バンドは、靴の甲部内側第１縁部に形成された第１被係止体に第１係止体を係止し、靴の甲部内側第２縁部に形成された第２被係止体に第２係止体を係止するだけの極めて簡単な作業で靴締付バンドを取り付けて靴を締め付けることができるという優れた効果を有する。
本考案の靴締付バンドは、簡単な作業で靴に着脱できるので色彩の異なる弾性連結体を頻繁に交換することにより靴のファッション性を一段と向上させることができるという優れた効果を有する。
本考案の靴締付バンドは、第１係止体と第２係止体は弾性連結体で連結されているので靴を履いた場合に常に足にフィットした状態で靴を履くことができるという優れた効果を有する。
【図面の簡単な説明】
【０００７】
【図１】第１実施例の靴締付バンドの平面図である。
【図２】第１実施例の靴締付バンドの裏面斜視図である。
【図３】第１実施例の靴締付バンドを革靴に取り付けた使用状態図である。
【図４】第１実施例の靴締付バンドが取り付けられる前の革靴の平面図である。
【図５】第２実施例の靴締付バンドの平面図である。
【図６】第２実施例の靴締付バンドを革靴に取り付けた使用状態図である。
【図７】第３実施例の靴締付バンドの平面図である。
【図８】第３実施例の靴締付バンドの裏面斜視図である。
【図９】第３実施例の靴締付バンドを革靴に取り付けた使用状態図である。
【考案を実施するための形態】
【０００８】
考案を実施するために最良の形態の例として以下のような実施例を示す。
【実施例１】
【０００９】
図１〜図４には本考案に係る靴締付バンドの第１実施例が示されている。なお、この実施例で靴締付バンドを取り付けられる靴は従来から公知の革靴である。
この革靴を図４で示すと革靴１の甲皮２の甲部２Ａには足挿入部３から連続した切欠部４が爪先部２Ｂ方向に向かって形成されている。この切欠部４を形成したことにより切欠部４を挟んで甲部内側第１縁部５Ａと甲部内側第２縁部５Ｂが対向して形成されている。この甲部内側第１縁部５Ａには第１被係止体としての靴紐用第１ハトメ６Ａが間隔を設けて４個形成されている。また、甲部内側第２縁部５Ｂには第２被係止体としての靴紐用第２ハトメ６Ｂが間隔を設けて４個形成されている。
図１に示されるように、前記革靴１に着脱可能に取り付けられる第１実施例の靴締付バンド１０の第１係止体１２と第２係止体１４は適宜金属材料で円板状に形成されている。
図２に示されるように、この第１係止体１２の裏面に第１ハトメ嵌入部１６が突設され、第２係止体１４の裏面にも第２ハトメ嵌入部１８が突設されている。
この第１ハトメ嵌入部１６は図４に示される甲部内側第１縁部５Ａに取り付けられた靴紐用第１ハトメ６Ａのハトメ穴に嵌入されるように形成されている。また、この第２ハトメ嵌入部１８は図４に示される甲部内側第２縁部５Ｂに取り付けられた靴紐用第２ハトメ６Ｂのハトメ穴に嵌入されるように形成されている。
図１及び図２に示されるように、前記第１係止体１２と前記第２係止体１４の間には弾性連結体２０が配設されている。この弾性連結体２０の一端部２０Ａは前記第１係止体１２と連結され、他端部２０Ｂは第２係止体１４部と連結されている。なお、前記弾性連結体２０は細いゴム紐を帯状に織って形成され、伸縮可能になっている。また、前記弾性連結体２０には適宜色彩が施されている。
従って、前記第１係止体１２と前記第２係止体１４は弾性連結体２０で連結されているので、前記第１係止体１２と前記第２係止体１４の間隔を伸縮させることができる。
この結果、革靴１を履いて図３に示されるように４個の靴締付バンド１０を取り付けた場合は甲部内側第１縁部５Ａと甲部内側第２縁部５Ｂを４個の靴締付バンド１０が適度に締め付けるので足に常にフィットした状態で革靴１を履くことができる。
【００１０】
次に、第１実施例の靴締付バンド１０の作用について説明する。
前記靴締付バンド１０を革靴１に取り付ける場合は、第１係止体１２の第１ハトメ嵌入部１６を革靴１の甲部内側第１縁部５Ａに取り付けられた靴紐用第１ハトメ６Ａのハトメ穴に嵌入する。また、第２係止体１４の第２ハトメ嵌入部１８を靴１の甲部内側第２縁部５Ｂに取り付けられた靴紐用第２ハトメ６Ｂのハトメ穴に嵌入する。
従って、前記第１係止体１２の第１ハトメ嵌入部１６を革靴１の甲部内側第１縁部５Ａに取り付けられた靴紐用第１ハトメ６Ａのハトメ穴に嵌入し、前記第２係止体１４の第２ハトメ嵌入部１８を靴１の甲部内側第２縁部５Ｂに取り付けられた靴紐用第２ハトメ６Ｂのハトメ穴に嵌入するだけの極めて簡単な作業で靴締付バンド１０を革靴１に取り付けることができる。
上記同様の作業を繰り返すことにより４個の靴締付バンド１０を革靴１に取り付ける。
この結果、図３に示されるように革靴１の甲皮２の甲部２Ａに４個の靴締付バンド１０を簡単かつ迅速に取り付けることができる。
従って、本考案の靴締付バンド１０は従来の靴紐のように靴紐用第１ハトメ６Ａのハトメ穴及び靴紐用第２ハトメ６Ｂのハトメ穴に通す必要がないので簡単かつ迅速に革靴１に取り付けることができるため、その時の気分にあった色彩が施されている弾性連結体２０の靴締付バンド１０を革靴１に取り付けることができ革靴１のファッション性を高めることができる。
また、例えば革靴１に４個の弾性連結体２０を取り付ける場合、１個めの靴締付バンド１０の弾性連結体２０の色彩がオレンジ色、２個めの靴締付バンド１０の弾性連結体２０の色彩が緑色、３個めの靴締付バンド１０の弾性連結体２０の色彩が赤色、４個めの靴締付バンド１０の弾性連結体２０の色彩が白色の靴締付バンド１０を取り付けることにより、上記４個の靴締付バンド１０を革靴１に取り付けた場合に革靴１の甲部２Ａには４色が配設されることになり色彩がカラフルになり、革靴１のフッション性を一段と向上させることができる。
さらに、前記第１係止体１２と第２係止体１４を連結する弾性連結体２０は伸縮するので、きつくも緩くもなく常に足にフィットした状態で革靴１を履くことができる。
【００１１】
図５及び図６には本考案に係る靴締付バンドの第２実施例が示されている。なお、第１実施例の靴締付バンド１０と同一の構成は同一の符号を用いてその説明は省略する。なお、第２実施例の靴締付バンドは革靴１の甲皮２の甲部２Ａの甲部内側第１縁部５Ａには第１被係止体としての鉤状の靴紐用第１フック７Ａ（図５に想像線で示す）が、甲部内側第２縁部５Ｂには第２被係止体としての鉤状の靴紐用第２フック７Ｂが、１個づつ取り付けられている革靴１Ａに適用される場合を例にして説明する。
図５に示されるように、本考案の靴締付バンド３０の第１係止体３２と第２係止体３４は金属板で矩形状に形成されている。
この第１係止体３２にはフック挿通部３２Ａが貫通形成され、第２係止体３４にはフック挿通部３４Ａが貫通形成されている。
従って、第２実施例の靴締付バンド３０においては革靴１に取り付けられた靴紐用第１フック７Ａが第１係止体３２のフック挿通部３２Ａに挿入して引っ掛けられ、靴紐用第２フック７Ｂが第２係止体３４のフック挿通部３４Ａに挿入して引っ掛けられることにより革靴１Ａに取り付けられるようになっている。
なお、他の作用、効果は第１実施例の靴締付バンド１０と同一であるので、その説明は省略する。
【００１２】
図７〜図９には本考案に係る靴締付バンドの第３実施例が示されている。なお、第１実施例の靴締付バンド１０と同一の構成は同一の符号を用いてその説明は省略する。なお、第３実施例の靴締付バンドは革靴１の甲皮２の甲部２Ａの甲部内側第１縁部５Ａには第１被係止体としての金属性の靴紐用第１リング８Ａ（図７に想像線で示す）が、甲部内側第２縁部５Ｂには第２被係止体としての金属性の靴紐用第２リング８Ｂが、２個づつ取り付けられている革靴１Ｂに適用される場合を例にして説明する。
図７及び図８に示されるように、本考案の靴締付バンド４０の第１係止体４２と第２係止体４４は金属で鉤状に形成されている。
図８に示されるように、この第１係止体４２には鉤状のフック部４２Ａが形成され、第２係止体４４には鉤状のフック部４４Ａが形成されている。
従って、図７及び図９に示されるように第３実施例の靴締付バンド４０においては革靴１Ｂに取り付けられた靴紐用第１リング８Ａが第１係止体４２のフック部４２Ａと係止され、靴紐用第２リング８Ｂが第２係止体４４のフック部４４Ａと係止されることにより革靴１Ｂに取り付けられるようになっている。
なお、他の作用、効果は第１実施例の靴締付バンド１０と同一であるので、その説明は省略する。
【００１３】
なお、実施例では細いゴム紐を帯状に織って形成した弾性連結体２０を示したが、弾性連結体２０は弾性体であれば実施例に限定されないことは勿論である。
また、第１実施例では革靴１に４個の靴締付バンド１０を取り付けた場合、第２実施例では革靴１Ａに１個の靴締付バンド３０を取り付けた場合、第３実施例では革靴１Ｂに２個の靴締付バンド４０を取り付けた場合を示したが、取り付けられる靴締付バンド１０，３０，４０の数は実施例の数に限定されるものでないことは勿論である。
なお、本考案の靴締付バンド１０、３０、４０は第１被係止体、第２被係止体が設けられている靴であれば使用することができるので汎用性がある。
さらに、本考案の靴締付バンド１０、３０、４０は単独で販売してもよいが、使用者の気分に応じて靴に靴締付バンド１０、３０、４０又は靴紐を選択使用できるように靴を販売する場合に靴紐とセットで靴締付バンド１０、３０、４０を販売するようにしてもよい。
【産業上の利用可能性】
【００１４】
本考案の靴締付バンドは、革靴やスニーカー等の靴に限られず運動靴、長靴等のあらゆる靴に使用することができる。
【符号の説明】
【００１５】
１０    靴締付バンド
１２    第１係止体
１４    第２係止体
１６    第１ハトメ嵌入部
１８    第２ハトメ嵌入部
２０    弾性連結体
【図１】
0003165710.tif 000003
【図２】
0003165710.tif 000004
【図３】
0003165710.tif 000005
【図４】
0003165710.tif 000006
【図５】
0003165710.tif 000007
【図６】
0003165710.tif 000008
【図７】
0003165710.tif 000009
【図８】
0003165710.tif 000010
【図９】
0003165710.tif 000011
【手続補正書】
【提出日】平成22年11月19日(2010.11.19)
【手続補正１】
【補正対象書類名】実用新案登録請求の範囲
【補正対象項目名】請求項１
【補正方法】変更
【補正の内容】
【請求項１】
靴の甲部に対向して形成された甲部内側第１縁部及び甲部内側第２縁部と、この甲部内側第１縁部に形成された第１被係止体と、前記甲部内側第２縁部に形成された第２被係止体と、を備えて成る靴に着脱可能に取り付けられる靴締付バンドであって、前記第１被係止体と係止される第１係止体と、前記第２被係止体と係止される第２係止体と、前記第１係止体と前記第２係止体を連結する弾性連結体と、を有してなることを特徴とする靴締付バンド。
【手続補正２】
【補正対象書類名】明細書
【補正対象項目名】０００５
【補正方法】変更
【補正の内容】
【０００５】
請求項１の考案は、靴の甲部に対向して形成された甲部内側第１縁部及び甲部内側第２縁部と、この甲部内側第１縁部に形成された第１被係止体と、前記甲部内側第２縁部に形成された第２被係止体と、を備えて成る靴に着脱可能に取り付けられる靴締付バンドであって、前記第１被係止体と係止される第１係止体と、前記第２被係止体と係止される第２係止体と、前記第１係止体と前記第２係止体を連結する弾性連結体と、を有してなることを特徴としている。
請求項２の考案は、靴の甲部に対向して形成された甲部内側第１縁部及び甲部内側第２縁部と、この甲部内側第１縁部に形成された靴紐用第１ハトメと、前記甲部内側第２縁部に形成された靴紐用第２ハトメと、を備えて成る靴に着脱可能に取り付けられる靴締付バンドであって、前記靴紐用第１ハトメのハトメ穴に嵌入する第１ハトメ嵌入部を設けた第１係止体と、前記靴紐用第２ハトメのハトメ穴に嵌入する第２ハトメ嵌入部を設けた第２係止体と、前記第１係止体と前記第２係止体を連結すると共に色彩が施された弾性連結体と、を有してなることを特徴としている。
請求項３の考案は、靴の甲部に対向して形成された甲部内側第１縁部及び甲部内側第２縁部と、この甲部内側第１縁部に形成された靴紐用第１フックと、前記甲部内側第２縁部に形成された靴紐用第２フックと、を備えて成る靴に着脱可能に取り付けられる靴締付バンドであって、前記靴紐用第１フックが係止するフック挿通部を形成した第１係止体と、前記靴紐用第２フックが係止するフック挿通部を形成した第２係止体と、前記第１係止体と前記第２係止体を連結すると共に色彩が施された弾性連結体と、を有してなることを特徴としている。
請求項４の考案は、靴の甲部に対向して形成された甲部内側第１縁部及び甲部内側第２縁部と、この甲部内側第１縁部に形成された靴紐用第１リングと、前記甲部内側第２縁部に形成された靴紐用第２リングと、を備えて成る靴に着脱可能に取り付けられる靴締付バンドであって、前記靴紐用第１リングと係止するフック部を形成した第１係止体と、前記靴紐用第２リングと係止するフック部を形成した第２係止体と、前記第１係止体と前記第２係止体を連結すると共に色彩が施された弾性連結体と、を有してなることを特徴としている。